(57)【要約】【課題】本発明は、実験者が所望場所において実験装置を組み立てることができる実験台用天板を提供する。【解決手段】  本発明の実験台用天板Ａは、任意の載置面上に着脱自在に載置させて用いられる実験台用天板であって、この実験台用天板の天板本体１には、その上下面間に亘って貫通し且つ前後方向に延びる長孔12a、12bが二個、形成されていると共に、上記天板本体１下面には、上記長孔12a、12bに沿って溝部材２が一体的に設けられ、上記溝部材２の溝部３内にはナット４が上記長孔12a、12bから取り出し不能に且つ上記長孔12a、12bに沿って移動可能であると共に回転不能に配設されており、このナット４に支柱５の下端に設けた螺子部を着脱自在に螺合させることによって支柱５を上記実験台用天板Ａ上に立設することができるように構成されていることを特徴とする。【選択図】  図１
2007209861.tif 000002
【特許請求の範囲】
【請求項１】
任意の載置面上に着脱自在に載置させて用いられる実験台用天板であって、この実験台用天板の天板本体には、その上下面間に亘って貫通し且つ前後方向に延びる長孔が二個、形成されていると共に、上記天板本体下面には、上記長孔に沿って溝部材が一体的に設けられ、上記溝部材の溝部内にはナットが上記長孔から取り出し不能に且つ上記長孔に沿って移動可能であると共に回転不能に配設されており、このナットに支柱の下端に設けた螺子部を着脱自在に螺合させることによって支柱を上記実験台用天板上に立設することができるように構成されていることを特徴とする実験台用天板。
【発明の詳細な説明】
【技術分野】
【０００１】
本発明は、実験装置を支持するための支持枠を任意の場所に形成することができる実験台用天板に関する。
【背景技術】
【０００２】
従来から化学実験を行うにあたっては、特許文献１に示したように、実験台上に支柱を立設し、或いは、支柱及び支持杆を格子状に組合せて支持枠を形成し、これら支柱や支持杆に実験器具を支持させて実験装置をつくっている。
【０００３】
しかしながら、化学実験の中には化学反応によっては有毒ガスを発生するものや、その他の事情から実験台上において行うことができない実験もあり、このような場合、実験者は、別の場所において実験装置を組み立てざるを得ず、実験者の所望とする場所に支持枠を組み立てることができる実験台が所望されていた。
【０００４】
【特許文献１】特開２０００−２５４５２５号公報
【発明の開示】
【発明が解決しようとする課題】
【０００５】
本発明は、実験者が所望場所において実験装置を組み立てることができる実験台用天板を提供する。
【課題を解決するための手段】
【０００６】
本発明の実験台用天板は、任意の載置面上に着脱自在に載置させて用いられる実験台用天板であって、この実験台用天板の天板本体には、その上下面間に亘って貫通し且つ前後方向に延びる長孔が二個、形成されていると共に、上記天板本体下面には、上記長孔に沿って溝部材が一体的に設けられ、上記溝部材の溝部内にはナットが上記長孔から取り出し不能に且つ上記長孔に沿って移動可能であると共に回転不能に配設されており、このナットに支柱の下端に設けた螺子部を着脱自在に螺合させることによって支柱を上記実験台用天板上に立設することができるように構成されていることを特徴とする。
【発明の効果】
【０００７】
本発明の実験台用天板は、任意の載置面上に着脱自在に載置させて用いられる実験台用天板であって、この実験台用天板の天板本体には、その上下面間に亘って貫通し且つ前後方向に延びる長孔が二個、形成されていると共に、上記天板本体下面には、上記長孔に沿って溝部材が一体的に設けられ、上記溝部材の溝部内にはナットが上記長孔から取り出し不能に且つ上記長孔に沿って移動可能であると共に回転不能に配設されており、このナットに支柱の下端に設けた螺子部を着脱自在に螺合させることによって支柱を上記実験台用天板上に立設することができるように構成されていることを特徴とするので、屋内外を問わず実験者の所望する場所に載置して用いることができ、所望場所に支持枠を形成して実験を行うことができる。
【０００８】
そして、実験台用天板における溝部材の溝部内に配設したナットに支柱の下端に設けた螺子部を螺合させるだけで実験台用天板上に支柱を簡単に且つ確実に立設させて支持枠を円滑に形成することができる。
【０００９】
又、実験台用天板における溝部材の溝部に配設されたナットは、長孔に沿って移動自在とされていることから、実験台用天板の前後方向の所望位置に支柱を正確に立設して支持枠を簡単に形成することができる。
【発明を実施するための最良の形態】
【００１０】
本発明の実験台用天板の一例を図面を参照しつつ説明する。図１及び図２に示したように、実験台用天板Ａの天板本体１は、一定厚みを有する平面長方形状の金属板から形成されており、天板本体１の四方外周縁には垂直下方に向かって一定高さを有する四角枠状の枠体11が一体的に設けられている。
【００１１】
そして、天板本体１の左右端部には、一定幅及び一定長さを有する二条の長孔12a、12bが、互いに平行に且つ天板本体１の左右端縁に沿って、天板本体１の上下面間に亘って貫通した状態に貫設されている。なお、長孔12a、12bの前後端部はそれぞれ凸円弧状に形成されている。
【００１２】
更に、天板本体１の下面には、この長孔12a、12bに沿って断面コ字状の溝部材２が一体的に設けられている。具体的には、上記溝部材２は、図３に示したように、長孔12a、12bの前後長さよりも若干長い長さを有し且つ上記長孔12a、12bの左右幅よりも幅広な平面縦長長方形状の溝底部21と、この溝底部21の左右端縁にその全長に亘って上方に向かって延設された一定高さを有する左右壁部22、22と、この左右壁部22、22の上端縁にその全長に亘って外方に向かって水平方向に延設されたフラップ片23、23と、上記溝底部21の前後端に上方に向かって延設された前後板部24、25とからなり、上記溝底部21と上記左右壁部とによって溝部３を形成している。
【００１３】
そして、上記溝部材２のフラップ片23、23を天板本体１下面における長孔12a（12b）の左右開口縁部に溶接などの手段によって一体的に固着させることにより、上記天板本体１下面に上記溝部材２をその溝部３が長孔12a（12b）の垂直下方に位置し且つ溝部３の長さ方向と長孔12a（12b）の長さ方向とが合致した状態に一体的に設けている。即ち、天板本体１の長孔12a（12b）の垂直下方にその全長に亘って溝部材２の溝部３が位置するように構成されている。なお、溝部材２の溝底部21が天板本体１の枠体11の下端から下方に突出しないように形成されている。
【００１４】
そして、上記溝部材２、２の溝部３、３内にはそれぞれ、複数個の六角ナット４、４・・・が上記溝部材２の溝部３の長さ方向及び上下方向に変位自在に且つ溝部材２の左右壁部22、22によって回転不能に配設されている。なお、六角ナット４は、天板本体１に貫設された長孔12a、12bの左右幅よりも大きな形状に形成されているので長孔12a、12bを通じて外部に取り出すことができないように構成されている。
【００１５】
更に、円柱状の支柱５が該支柱５の下端部に着脱自在に取り付けられた取付部材９を介して上記六角ナット４に着脱自在に取り付けられる。上記取付部材９は、長孔12a、12bの左右幅よりも大きな径を有する一定高さの六角柱状に形成されていると共に、下端面中央部には六角ナット４の螺子孔41に対して進退自在に螺合可能な螺子部91が垂直下方に向かって突設されている。
【００１６】
加えて、上記取付部材９には、その上端面に開口し且つ上記支柱５の下端部を挿脱自在に挿入可能な断面円形状の一定深さを有する挿入穴92が垂直方向に凹設されていると共に、外周面における上下方向の中央部には、上記挿入穴92に貫通する螺子孔93が水平方向に貫設されており、この螺子孔93には該螺子孔93に進退自在に螺合するボルト体94が配設されている。
【００１７】
そして、取付部材９の螺子部91を長孔12a、12bを通じて六角ナット４の螺子孔41に螺合させることによって、六角ナット４上面と取付部材９の下端面とによって天板本体１の長孔12a、12bの開口縁部を挟持し、取付部材９を天板本体１上における長孔12a、12bに沿った任意の位置に固定することができるように構成されている。
【００１８】
この天板本体１上に固定された取付部材９の挿入穴92内に支柱５の下端部を上方から挿入した上で取付部材９の螺子孔93にボルト体94を進退自在に螺合させ、ボルト体94の先端を支柱５の外周面に押圧させることによって、支柱５の下端部を取付部材９の挿入穴92内に不抜状態に固定させて支柱５を実験台用天板Ａから上方に起立した状態に立設、固定できるように構成されている。
【００１９】
次に、上記実験台用天板Ａの使用要領について説明する。先ず、実験台用天板Ａを、図４及び図５に示したように、既設の実験台、ドラフト内の床面、屋外の床面などの実験者の任意の載置面Ｐ上に安定的に載置させる。
【００２０】
続いて、実験台用天板Ａの溝部材２の溝部３内に内装されている複数個の六角ナット４、４・・・のうちの任意の六角ナット４を選択し、この六角ナット４を必要に応じて溝部３に沿って前後方向に移動させて天板本体１の前後方向の任意の位置に位置させる。次に、六角ナット４の螺子孔41に取付部材９の螺子部91の先端部を長孔12a、12bを通して合致させ、この状態から取付部材９をその軸芯を中心にして所定方向に回転させて取付部材９の螺子部91を六角ナット４に対して螺進させる。すると、六角ナット４は溝部材２の溝部３内において回転不能に内装されていることから、取付部材９をその軸芯を中心にして回転させるだけで、取付部材９の螺子部91を六角ナット４の螺子孔41に螺合、螺進させることができる。
【００２１】
そして、取付部材９をその下端面が天板本体１の長孔12a、12bの上端開口縁部に当接するまで六角ナット４に対して螺進させる。この状態から更に取付部材９を回転させると、取付部材９はそれ以上の下方への変位が長孔12a、12bの上端開口縁部によって阻止されていることから、相対的に六角ナット４が溝部３内において上方に向かって変位し、最終的には、取付部材９の下端面と六角ナット４の上端面とで天板本体１の長孔12a、12bの開口縁部が挟持された状態となり、取付部材９は、天板本体１上における長孔12a、12bに沿った任意の位置に安定的に固定される。なお、取付部材９の下端面と、これに対向する長孔12a、12bの開口縁部との間に座金10を介在させてもよい。
【００２２】
しかる後、取付部材９の挿入穴92内に支柱５の下端部を挿入した上で取付部材９のボルト体94を螺進させてボルト体94の先端を支柱５の外周面に押圧させ、ボルト体94の先端と取付部材９の挿入穴92の内周面とによって支柱５の下端部を挟持することによって、支柱５を天板本体１上に安定的に立設させることができる。
【００２３】
実験台用天板１上に支柱５を立設するにあたっての支柱５の前後方向における配設位置は、溝部材２の溝部３内に内装された複数個の六角ナット４のうちの何れか一つの六角ナット４を選択し、或いは、六角ナット４を溝部材２の溝部３内において該溝部３の長さ方向に沿って（前後方向に）移動させることによって容易に調整することができ、実験装置に対応した位置に支柱５を立設することができる（図４参照）。
【００２４】
上記要領で、実験台用天板Ａの左右端部に二本の支柱５、５を立設、固定させ、この支柱５、５間に水平杆６、６・・・及び垂直杆７、７・・・を格子状に組み合わせて支持枠Ｂを形成し、この支持枠Ｂを用いて所望の実験装置Ｃを組み立てることができる（図５参照）。
【００２５】
なお、支柱５、５では支持枠Ｂを安定的に支持することができないことがあり、このような場合は、支持杆８、８を用意し、この支持杆８、８によって支柱５、５を支持すればよい。具体的には、上記支持杆８は、取付部材９の挿入穴92に挿入可能な円柱状の取付部81とこの取付部81の上端部にヒンジ部82を介して起伏回動自在に接続され且つ伸縮自在な伸縮部83とからなる。
【００２６】
そして、上述と同様の要領で天板本体１上に固定した取付部材９、９の挿入穴92、92内に上述と同様の要領で上記支持杆８、８の取付部81、81を固定させると共に、上記支持杆８、８の伸縮部83、83の上端部をその長さを調整しながら支柱５、５の上端部に連結、固定させることによって、支柱５、５を支持杆８、８によって安定的に後方から支持することができる。
【００２７】
上記では、支柱５の下端部に取付部材９を着脱自在に装着した場合を説明したが、支柱５の下端部に取付部材９を一体的に設けたものであってもよい。
【００２８】
又、上記では、一本の支柱５を実験台用天板Ａの左端部に、一本の支柱５を右端部に立設させた場合を説明したが、図６に示したように、実験台用天板Ａの左端部に二本の支柱5a、5bを前後方向に所定間隔を存して立設させると共に、実験台用天板Ａの右端部に二本の支柱5a、5bを前後方向に所定間隔を存して立設させ、二つの支持枠Ｂを前後方向に所定間隔を存して形成してもよい。
【図面の簡単な説明】
【００２９】
【図１】本発明の実験台用天板を示した斜視図である。
【図２】本発明の実験台用天板を示した縦断面図である。
【図３】溝部材を示した斜視図である。
【図４】本発明の実験台用天板の使用状態の一例を示した斜視図である。
【図５】本発明の実験台用天板の使用状態の一例を示した斜視図である。
【図６】本発明の実験台用天板の使用状態の一例を示した斜視図である。
【符号の説明】
【００３０】
１  天板本体
11  枠体
２  溝部材
３  溝部
４  ナット
41  螺子孔
５  支柱
６  水平杆
７  垂直杆
８  支持杆
９  取付部材
91  螺子部
92  挿入穴
94  ボルト体
Ａ  実験台用天板
Ｂ  支持枠
Ｃ  実験装置
Ｐ  載置面
【図１】
2007209861.tif 000003
【図２】
2007209861.tif 000004
【図３】
2007209861.tif 000005
【図４】
2007209861.tif 000006
【図５】
2007209861.tif 000007
【図６】
2007209861.tif 000008